(57)【要約】【課題】冷却器や冷却ファン、冷気を冷蔵室内に供給するダクトの配設箇所や形状を考慮し、効率的な配置とすることで冷蔵室内の収納容積の増大をはかるとともに、冷蔵室内への冷気吹き出し範囲を拡大して均一な冷却を実現することができる冷蔵庫を提供する。【解決手段】庫内上部に配設され冷却器およびファン10で生成された冷気によって冷却される冷蔵室５と、この冷蔵室の背面部に設けられた庫内照明体15と、前記庫内照明体の周囲の冷蔵室背面部に形成され前記ファンからの冷気を導入して一方向に流下させるダクト18と、このダクトの流下方向に沿ってダクトから冷蔵室内に冷気を吹き出す複数の吹出口20、21と、冷蔵室内を循環した冷気を冷却器側に戻すように冷蔵室の底部の一側に形成した吸込み口25とを有することを特徴とする。【選択図】    図３
2009222340.tif 000002
【特許請求の範囲】
【請求項１】
庫内上部に配設され冷却器およびファンで生成された冷気によって冷却される冷蔵室と、この冷蔵室の背面部に設けられた庫内照明体と、前記庫内照明体の周囲の冷蔵室背面部に形成され前記ファンからの冷気を導入して一方向に流下させるダクトと、このダクトの流下方向に沿ってダクトから冷蔵室内に冷気を吹き出す複数の吹出口と、前記冷蔵室内を循環した冷気を冷却器側に戻すように冷蔵室の底部の一側に形成した吸込み口とを有することを特徴とする冷蔵庫。
【請求項２】
冷却器からの冷気を下方部からダクト内に導入し、庫内照明体の一側から上部、さらに他側に形成したダクトを流下しながらダクトの両側から冷蔵室内に冷気を吹き出し、冷蔵室内を循環した冷気を冷蔵室底部に形成した吸込み口から野菜室に導入するようにしたことを特徴とする請求項１記載の冷蔵庫。
【請求項３】
ダクトを形成するダクト板を庫内照明体の前面とほぼ面一になるように庫内照明体の周囲に配設し、ほぼ逆Ｕ字状となるダクト板の外縁部および内縁部に沿って吹出口を設け、この外縁部および内縁部に設けた吹出口から冷蔵室内に冷気を吹き出すようにしたことを特徴とする請求項１または２記載の冷蔵庫。
【請求項４】
冷却器からダクト内に導入した当初の冷気の少なくとも一部を、冷蔵室下部に配設した冷蔵温度より低い低温度室内に導入させたことを特徴とする請求項１乃至３のいずれかに記載の冷蔵庫。
【発明の詳細な説明】
【技術分野】
【０００１】
本発明は、庫内上部に冷蔵室を位置し、冷蔵室背面部に庫内照明灯と冷気吹出口を有するダクトを配設した冷蔵庫に関する。
【背景技術】
【０００２】
近年の冷蔵庫は、最も使用頻度が多く容積の大きい冷蔵室を最上部に配置するとともに、その下部に冷蔵室と同様の冷蔵空間であり野菜類を収納する野菜室を設け、最下方に冷凍室を配置するタイプが多くなっている。
【０００３】
そして、冷蔵庫本体の背壁の一部には冷却器およびファンを設け、前記冷却器で生成された冷気を、図６に示すように、冷蔵室（55）背面の中央部に室内側に円弧状に突出して設けたダクト（68）を介して冷蔵室（55）内に吹き出し、室内を所定温度に冷却するように構成している。このとき、冷蔵室（55）背面の上部においてダクト（68）を左右に分岐し、分岐した右ダクト（68ａ）と左ダクト（68ｂ）との間に庫内灯（65）を設置し、この庫内灯（65）の前面をカバー体（67）で覆うように構成することで、むらのない庫内照明と庫内灯の発熱によるランプ周辺のプラスチック部品の劣化を防止するようにした冷蔵庫が提案されている（例えば、特許文献１参照）。
【特許文献１】特許第２９８００６０号公報
【発明の開示】
【発明が解決しようとする課題】
【０００４】
しかしながら、前記構成では、ダクト（68）と庫内灯（65）とが冷蔵室（55）内側に突出するのみならず、冷蔵室（55）の背面上部に、冷気を左右に分流する流量調節器（58）を設置していることから、この部分が、庫内灯（65）部分以上に冷蔵室（55）内に突出することになり、その分冷蔵室（55）内の収納容積を減じるだけでなく、冷蔵室（55）の背面が平坦でなくなる分室内の載置棚（61）形状が複雑になる不具合があった。そして、ファンなどが前記流量調節器（58）の近傍に設置されている場合には、さらに、ファンケーシングの室内への突出量が大きくなり実質的な有効収納容積を減じる弊害はより大きくなるものであった。
【０００５】
本発明は上記の点を考慮してなされたものであり、冷却器や冷却ファン、冷気を冷蔵室内に供給するダクトの配設箇所や形状を考慮し、効率的な配置とすることで冷蔵室内の収納容積の増大をはかるとともに、冷蔵室内への冷気吹き出し範囲を拡大して均一な冷却を実現することができる冷蔵庫を提供することを目的とする。
【課題を解決するための手段】
【０００６】
上記課題を解決するために本発明の冷蔵庫は、庫内上部に配設され冷却器およびファンで生成された冷気によって冷却される冷蔵室と、この冷蔵室の背面部に設けられた庫内照明体と、前記庫内照明体の周囲の冷蔵室背面部に形成され前記ファンからの冷気を導入して一方向に流下させるダクトと、このダクトの流下方向に沿ってダクトから冷蔵室内に冷気を吹き出す複数の吹出口と、前記冷蔵室内を循環した冷気を冷却器側に戻すように冷蔵室の底部の一側に形成した吸込み口とを有することを特徴とするものである。
【発明の効果】
【０００７】
本発明によれば、冷蔵室内の背面部全体にダクトと庫内照明体とを配設して背壁をほぼ面一にできるため、貯蔵室容積を増大して使い勝手を良好にすることができるとともに、冷蔵室内への冷気吹き出し範囲を拡大して均一な冷却をおこなうことができる。 
【発明を実施するための最良の形態】
【０００８】
以下、図面に基づき本発明の１実施形態について説明する。図１は冷蔵庫の外観正面図、図２は上部の冷蔵室内を示す斜視図、図３はその正面図であり、図４は上部分の縦断面図である。
【０００９】
外箱（２）と内箱（３）、およびこれら内外箱（２）（３）間の空間部に充填された断熱材（４）からなる断熱箱体で形成された冷蔵庫本体（１）は、内部を貯蔵空間として最上部に冷蔵室（５）、その下方に野菜室（６）、最下方には断熱仕切壁を介して冷凍室（７）をそれぞれ独立して配置しており、前記各貯蔵室の前面開口には各々専用の扉を開閉自在に設けている。
【００１０】
前記冷蔵室（５）は、最も収納容積が大きく、ヒンジによる回動式の扉（８）でその開口部を閉塞しており、下部に配置した野菜室（６）、冷凍室（７）は、冷蔵室に比べ収納容積が小さいこと、およびその設置高さ位置による使い勝手面から、扉に固着した支持枠に保持した容器を室内壁面に設けたレール部材で前後に摺動させ、開扉動作とともに室外に引き出して容器の上面開口から食品を収納し取り出する引き出し扉方式としている。
【００１１】
本体内背面の下方部には、冷気を生成する冷却器（９）を設け、この冷却器（９）で生成した冷気を冷蔵室（５）の背面部に設けたファン（10）により、冷蔵室（５）内に供給し貯蔵品を冷却するように構成している。
【００１２】
また、ファン（10）によって冷気の一部は下方の冷凍室（７）に供給され、これを所定温度に冷却するように制御するが、冷却構成については、前記冷却器（９）とは別に、より蒸発温度の低い冷凍専用の冷却器やファンを設け、冷蔵貯蔵空間とは独立してこれらを冷却制御するようにしてもよい。
【００１３】
冷蔵室（５）内には、複数段に配置した載置棚（11）と前記扉（８）の裏面側に形成したポケット棚（12）による貯蔵品収納部が形成されており、室内下方には、開閉蓋によって周囲と区画形成された冷蔵室温度以下のチルド温度に冷却される引き出し容器を設けた低温度室（13）を配置している。
【００１４】
前記低温度室（13）の上部における冷蔵室（５）の背面壁の中央部には庫内照明体（15）を配設している。この庫内照明体（15）は、庫内灯（16）とその前面を覆って光を拡散し、冷蔵室（５）内を照明するカバー（17）により形成されており、カバー（17）は室内幅の１／４〜１／３を占める幅寸法とともに前記複数の載置棚（11）に亙る上下寸法を有している。庫内灯（16）は白熱灯でもよいが、高輝度の発光ダイオード（ＬＥＤ）を複数個使用するようにしてもよい。
【００１５】
前記庫内照明体（15）の周囲には、前記冷却器（10）からの冷気を導入して冷蔵室（５）内に供給するダクト（18）を配設している。
【００１６】
ダクト（18）は、合成樹脂を射出成形したもので概略平板状をなし、冷蔵室（５）の背壁を形成する内箱（３）の前面との間に所定の冷気流通空間（19）を形成して前記庫内照明体（15）を中央部に置き、庫内照明体（15）の一側部（18ａ）、上部（18ｂ）、他側部（18ｃ）からなるほぼ逆Ｕ字状をなして冷蔵室（５）の背面全体をほぼ覆うように設置しており、その外周部縁は内箱（３）背面部の上壁面および両側壁面と所定の間隙を形成するように配置されている。
【００１７】
それゆえ、ダクト（18）における冷気流通空間（19）の流路幅は比較的大きくできることから、その奥行き長を幅広の流路寸法に対応して充分に小さい寸法としても必要な冷気流を得る風路断面積を確保することが可能となり、その結果、このダクト（18）の厚み寸法の圧縮分を冷蔵室（５）の奥行き寸法として増すことにより冷蔵室（５）の収納容積を格大することができる。
【００１８】
したがって、庫内照明体（15）の奥行き寸法を前記ダクト（18）に合わせれば、冷蔵室（５）の背壁面は面一となり、外観面のみならず、貯蔵品の収納効率においても有効な構成となるものである。このとき、庫内灯（16）を含む庫内照明体（15）の奥行き寸法がダクト（18）の奥行き寸法より大きい場合は、差がわずかであればそのまま冷蔵室（５）の内側に突出させて設けてもよく、また、奥行き寸法の大きい分内箱（３）の背面を断熱材（４）側へ凹陥させるようにして前面を面一にしてもよい。
【００１９】
しかして、前記ダクト（18）内における冷気の流れは、点線の矢印で示すように、一方向としている。すなわち、冷蔵室（５）の背面において、正面からみた幅方向の左側に片寄らせて配設させたファン（10）のケーシング（19）によって渦流となり、下方部から上方に吹き上げられダクト（18）内に吐出された冷気は、庫内照明体（15）の一側部である右側のダクト（18ａ）内に導入され、ここから上部側のダクト（18ｂ）内に進み、さらに庫内照明体（15）の他側である左側のダクト（18ｃ）を流下するように構成されており、前記各ダクト（18ａ）（18ｂ）（18ｃ）内を流れる冷気は、その外縁部に沿って設けた複数の吹出口（20）および内側の中央部分の前記庫内照明体（15）のカバー（17）の両側部に対向する内縁部に形成した複数の吹出口（21）から実線の矢印のように、冷蔵室（５）内に吹き出されるものである。
【００２０】
前記ダクト（18）部分の横断面図である図５に示すように、前記内側中央部分の吹出口（21）は、庫内照明体（15）のカバー（17）の両側に形成した円弧状の側壁とダクト端縁との間隙の上下に複数箇所に亙って設けられており、ダクト（18）内を流れる冷気は、前記吹出口（21）から円弧状部をガイド面として冷蔵室（５）内に吹き出され、外側の吹出口（20）（20）については、内箱（３）の周縁のコーナー部に形成される曲面をガイドとして左右のダクト（18ａ）（18ｃ）および上部のダクト（18ｂ）の外周縁部から冷蔵室（５）内に向けて吹き出され室内を冷却する。このとき、上方ほど前記各吹出口（20）（21）の吹き出し開口を大きくするようにすれば、上方からの冷気量を多くすることができ、冷蔵室（５）内の冷却をより均一にすることができる。
【００２１】
なお、庫内照明体（15）の下方部は、前記ダクト（18）との一体成形により前記カバー（17）と同様の円弧状部の冷気ガイドを両端縁に形成して前記ダクト中央部分の下方の吹出口（21）に対向させるとともに、前記低温度室（13）に対向して室内側に突出するファン収納部（22）の上段部（22ａ）まで延設させるが、前記庫内照明体（15）を前記上段部（22ａ）まで延長させるようにしてもよい。
【００２２】
また、前記ファン（10）からの冷気がまず吐出される一側部のダクト（18ａ）の導入部は、チルド温度に冷却される前記低温度室（13）に近接しており、この低温度室（13）の背面には、このダクト（18ａ）の導入部近傍の冷気を低温度室（13）内に導入する吹出口（23）が設けられている。したがって、ダクト（18ａ）内に流入した当初の低温冷気の一部は、比較的高温の冷蔵室温度の影響をほとんど受けることなく低い温度のまま低温度室（13）内に供給され、容量も比較的小さいことからこれを効果的にチルド温度まで冷却し、低温状態を保持することができるものである。
【００２３】
そして、冷蔵室（５）内を循環した冷気は、前記低温度室（13）内を冷却した冷気と合流し、低温度室（13）に収納されている容器の底面と冷蔵室（５）の下面を形成する仕切板（24）との間を通り、冷蔵室（５）の底部後方の前記冷気吹き出しダクト（18）の一側方に形成された吸込み口（25）に流入して冷蔵室（５）の下方に位置する野菜室（６）内に導入され、室内における野菜容器（26）の背面を流下することで容器内を間接的に冷却し、次いで、図示しない戻りダクトを経由して冷却器（９）の下方に導かれ、再び冷却されてダクト（18）に吐出される循環を繰り返す。
【００２４】
上記構成によれば、吸込み口（25）や戻りダクトを室内前方に突出させることなく、前記ダクト（18）やファンケーシング（19）の幅方向に同列に設置させたので、冷蔵室（５）の底部の後方の空間を利用して効果的に配設することができ、前記吸込み口（25）などの前方に隣接する低温度室（13）や野菜室（６）の奥行き長さを損なうことがなく、実質的な収納容積を大きくすることができる。
【００２５】
本発明は上記のように構成されており、ダクト（18）内を流れる冷気の方向を一方向としたことによって、ダクト（18）中に冷気の分流機構や流量調節のためのダンパー部材を設ける必要がなくなり、部品数を少なくできるとともに、その設置スペースも要しないためダクト構成が単純化でき、同時に、冷気流の阻害要因もないことから冷気の流れをスムーズにできるものである。
【００２６】
また、内側中央部分の吹出口（21）は、前述のように、ダクト（18）の幅方向の内側から内方に向って吹き出され、また、外側の吹出口（20）からは、左右および上方の外方に向かって吹き出されるものであり、この構成によって、冷蔵室（５）内に対する冷気の吹き出しは背壁のほぼ全幅に亙る３辺のそれぞれ外側と内側に向かう種々の方向への吹き出しとなることから、一箇所に集中してその部分の貯蔵食品が凍結して食せなくなるような不具合を防ぎ、広い収納空間である冷蔵室（５）内をムラなく均一に、且つ効率良く冷却することができ、消費電力の低減に寄与させることができる。
【図面の簡単な説明】
【００２７】
【図１】本発明の１実施形態を示す冷蔵庫の外観正面図である。
【図２】図１の冷蔵室内を部分を示す斜視図である。
【図３】図１と同部分の正面図である。
【図４】図３の縦断面図である。
【図５】図３におけるダクト部分の横断面図である。
【図６】従来の冷蔵庫構成を示す縦断面図である。
【符号の説明】
【００２８】
１  冷蔵庫本体            ２  外箱                ３  内箱
４  断熱壁                ５  冷蔵室              ６  野菜室
７  冷凍室                ９  冷却器              10  ファン
11  載置棚                12  扉ポケット          13  低温度室
15  庫内照明体            16  庫内灯              17  カバー
18、ダクト                18ａ  右側ダクト        18ｂ  上部側ダクト
18ｃ  左側ダクト          19  ファンケーシング    20  外側の吹出口
21  内側の吹出口          22  ファン収納部        22ａ  上段部
23  低温度室の吹出口      25  吸込み口            26  野菜容器
【図１】
2009222340.tif 000003
【図２】
2009222340.tif 000004
【図３】
2009222340.tif 000005
【図４】
2009222340.tif 000006
【図５】
2009222340.tif 000007
【図６】
2009222340.tif 000008